(57)【要約】【課題】本発明は、透明容器の胴部及び底面からの光透過を防止でき、リサイクル容易な遮光容器を提供することを課題とする。【解決手段】遮光容器は、光透過性容器２の胴部２１から底面２２にかけて、１つの遮光性筒状ラベル３で被覆されている。遮光容器は、胴部２１及び自立させるための接地部２２１が形成された底面２２を有する光透過性容器２と、容器２の胴部２１及び底面２２を被覆可能な遮光性の熱収縮性筒状ラベル３とを備え、筒状ラベル３が、熱収縮により、前記容器２の胴部２１に装着され、且つ接地部２２１の形状に沿って装着されていると共に、筒状ラベル３の下方開口部３５が容器２の底面２２で閉塞されている。【選択図】      図１
2004352325.tif 000002
【特許請求の範囲】
【請求項１】
胴部（２１）及び自立させるための接地部（２２１）が形成された底面（２２）を有する光透過性容器（２）と、前記容器（２）の胴部（２１）及び底面（２２）を被覆可能な遮光性の熱収縮性筒状ラベル（３）とを備え、前記筒状ラベル（３）が、熱収縮により前記容器（２）の胴部（２１）に装着され、且つ接地部（２２１）の形状に沿って装着されていると共に、前記筒状ラベル（３）の下方開口部（３５）が前記容器（２）の底面（２２）で閉塞されていることを特徴とする遮光容器。
【請求項２】
前記容器（２）の底面（２２）には、内側へ凹んだ凹部（２２２）が形成されており、前記筒状ラベル（３）の接地部装着部（３６）が、接地部（２２１）の内側に向かって次第に大きく熱収縮されていると共に、筒状ラベル（３）の下方開口部（３５）を閉塞する閉塞部（３２）が、前記凹部（２２２）で区画される空間（２８）内に設けられている請求項１記載の遮光容器。
【請求項３】
前記閉塞部（３２）が、筒状ラベル（３）の下端部（３１）を合わせ且つ塑性変形によって略扁平状に成形されて構成されている請求項２記載の遮光容器。
【請求項４】
遮光性を有するラベルであって容器（２）の胴部（２１）及び底面（２２）を被覆可能な長さの熱収縮性筒状ラベル（３）を、前記容器（２）の胴部（２１）及び底面（２２）から下方側へ突出させた状態で前記容器（２）に挿入する挿入工程、前記筒状ラベル（３）を熱収縮させる熱収縮工程、前記熱収縮の後、前記容器（２）の底面（２２）下方に突出する筒状ラベル（３）の下端部（３１）を、容器（２）の底面（２２）側へと押圧して筒状ラベル（３）の下方開口部（３５）を閉塞する閉塞工程、を含むことを特徴とする遮光容器の製造方法。
【請求項５】
前記閉塞工程が、熱収縮の余熱によって前記筒状ラベル（３）の下端部（３１）が軟化している間に押圧する請求項４記載の遮光容器の製造方法。
【請求項６】
前記容器（２）の底面（２２）には、内側に凹んだ凹部（２２２）が形成されており、前記閉塞工程が、前記凹部（２２２）で区画される空間（２８）内において前記筒状ラベル（３）の下方開口部（３５）が閉塞されるように押圧する請求項４又は５記載の遮光容器の製造方法。
【発明の詳細な説明】
【０００１】
【発明の属する技術分野】
本発明は、紫外線などの光線透過をより確実に防止するため、容器の胴部及び底面が遮光性ラベルで被覆された遮光容器及び該遮光容器の製造方法に関する。
【０００２】
【従来の技術】
従来、飲料や食品などの容器として所謂ペットボトルなどの合成樹脂成形容器やガラス容器などが広く用いられている。また、緑茶やヨーグルトなどのように光によって変質や変色が起こりやすい内容物を充填する場合には、遮光性を付与するために着色容器が用いられてきたが、近年、容器リサイクル強化の観点から、透明な容器が使用されている。
【０００３】
そこで、透明容器のような光透過性容器の胴部に、例えば、白色系フィルムからなる筒状ラベルを装着した遮光容器が知られている。しかしながら、容器の胴部に遮光性の筒状ラベルを装着だけでは、容器の底面を通じて紫外線などが透過するため、十分に遮光性を備えた容器とならない。
このような点に鑑み、特開２００２−６８２０２号には、容器の胴部に紫外線遮断フィルムからなる熱収縮性ラベルを装着すると共に、容器の底面に紫外線遮断インキ層を施した紫外線遮断性ボトルが開示されている。
【０００４】
【特許文献１】
特開２００２−６８２０２号公報（第２頁の［請求項１］及び図１等）
【０００５】
【発明が解決しようとする課題】
しかしながら、かかる公報記載の手段では、容器のリサイクル時に、筒状ラベルの除去に加えて、紫外線遮断インキを剥離しなければならず、簡単に容器をリサイクルすることができないという問題点がある。また、搬送時などの擦れによって、底面に塗布された紫外線遮断インキ層が部分的に剥離する虞がある。
また、上記公報記載の遮光容器を製造する際には、筒状ラベルの装着工程に加えて、容器の底面にインキを塗布しなければならず、特に、底面の形状が複雑な容器にインキを塗工することは困難である。
【０００６】
そこで、本発明は、光透過性容器の胴部及び底面からの光透過を防止でき、リサイクル時には、この光遮断手段を簡易に除去することができる遮光容器を提供することを課題とする。
また、本発明は、容器の胴部及び底面を遮光性ラベルで被覆した遮光容器を簡易に製造することができる遮光容器の製造方法を提供することを課題とする。
【０００７】
【課題を解決するための手段】
本発明の遮光容器は、光透過性容器２の胴部２１から底面２２にかけて、１つの遮光性筒状ラベル３で被覆されていることを特徴とする。
すなわち、本発明は、胴部２１及び自立させるための接地部２２１が形成された底面２２を有する光透過性容器２と、容器２の胴部２１及び底面２２を被覆可能な遮光性の熱収縮性筒状ラベル３とを備え、筒状ラベル３が、熱収縮により、前記容器２の胴部２１に装着され、且つ接地部２２１の形状に沿って装着されていると共に、筒状ラベル３の下方開口部３５が容器２の底面２２で閉塞されている遮光容器を提供する。
【０００８】
上記遮光容器１は、紫外線などの透過をより確実に防止でき、又、光遮断手段が、遮光性の筒状ラベル３で容器２の胴部２１及び底面２２を被覆するという手段であるため、リサイクル時には、筒状ラベル３を切り取りこれを簡単に除去することができる。また、ラベル３で被覆されているので、搬送時に容器２の底面２２が擦れても、剥がれる虞がない。
さらに、筒状ラベル３は、容器２の接地部２２１の形状に沿って装着されているので、容器２を支障なく自立させることができ、外観上も美麗な容器となる。
【０００９】
また、上記容器２の底面２２には、内側へ凹んだ凹部２２２が形成されており、筒状ラベル３の接地部装着部３６が容器２の接地部２２１の内側に向かって次第に大きく熱収縮されており、筒状ラベル３の下方開口部３５を閉塞する閉塞部３２が、凹部２２２で区画される空間２８内に位置させて設けられている上記遮光容器１は、閉塞部３２が、底面２１の接地部２２１から下方側に突出せず、従って、従来の容器と何ら変わらずに、自立安定性が確保され、更に、搬送時、この閉塞部３２にゴミなどが付着したり、或いは障害物に引掛かることを防止できるので好ましい。
【００１０】
さらに、閉塞部３２が、筒状ラベル３の下端部３１が合わされ且つ塑性変形によって略扁平状に成形されることにより、筒状ラベル３の下方開口部３５が閉塞されている上記遮光容器１は、閉塞部３２が嵩張らず、又、搬送時などの振動などによって、閉塞された下方開口部３５が不用意に開口することを防止できるので好ましい。
【００１１】
また、本発明の第２の手段は、製造方法にあり、遮光性を有するラベルであって容器２の胴部２１及び底面２２を被覆可能な長さの熱収縮性筒状ラベル３を、容器２の胴部２１及び底面２２から下方側へ突出させた状態で容器２に挿入する挿入工程、筒状ラベル３を熱収縮させる熱収縮工程、熱収縮の後、容器２の底面２２下方に突出する筒状ラベル３の下端部３１を、容器２の底面２２側へと押圧して筒状ラベル３の下方開口部３５を閉塞する閉塞工程、を含む遮光容器の製造方法を提供する。
【００１２】
上記製造方法によれば、筒状ラベル３を挿入して熱収縮させ、且つ収縮後に生じるラベル３の下端部３１を、容器２の底面２２側へと押圧するという簡易な工程で、容器２の胴部２１及び底面２２に遮光性の筒状ラベル３を装着でき、且つその下方開口部３５を閉塞できる。
従って、胴部２１及び底面２２が筒状ラベル３で被覆された遮光容器１を簡易に製造することができる。
【００１３】
また、上記閉塞工程が、熱収縮時の余熱によって筒状ラベル３の下端部３１が軟化している間に押圧する上記製造方法によれば、別途加熱工程を設けることなく、下端部３１を塑性変形させて下方開口部３５を閉塞することができるので好ましい。
【００１４】
さらに、上記容器２の底面２２に、内側に凹んだ凹部２２２が形成されており、閉塞工程が、凹部２２２で区画される空間２８内において筒状ラベル３の下方開口部３５を閉塞するように押圧する上記製造方法によれば、閉塞部３２が容器２の凹部２２２内に納められた遮光容器１を製造することができるので好ましい。
【００１５】
また、本発明の好ましい態様では、容器２の底面２２には、容器２を自立させるための接地部２２１が形成されており、熱収縮工程が、少なくとも前記接地部２２１の形状に沿って密着するまで筒状ラベル３を熱収縮させる上記遮光容器の製造方法が好ましい。
【００１６】
【発明の実施の形態】
以下、本発明について、図面を参照しつつ具体的に説明する。尚、本明細書に於いて方向を示す用語としての「上」、「下」は、容器を自立させた状態を基準とする。
図１に於いて、１は、遮光性を有する熱収縮性筒状ラベル３によって、自立可能な光透過性容器２の少なくとも胴部２１及び底面２２が被覆されている遮光容器を示す。
【００１７】
具体的には、容器２は、例えば、ポリエチレンテレフタレート製容器（いわゆるＰＥＴボトル）などの合成樹脂製成形容器、ガラス製などの透明容器からなり、内部に液体などの充填物を収納する収納部２３、この充填物を出入れするための取出し部２４、胴部２１及び自立させるための底面２２を有する。取出し部２４には、注出口２４１と外周壁に形成されたネジ部２４２とが形成されており、このネジ部２４２には、注出口２４１を開閉するための非透明樹脂成形品、金属製などのキャップ２５が螺合されている。このネジ部２４２の下方には、外側に突出した鍔部２６が形成されている。胴部２１には、この鍔部２６から次第に拡径する肩部２１１と実質的に筒状の胴本体部２１２とが形成されている。底面２２には、この胴本体部２１２に連続するコーナー部２７を介して、台上などの載置面に容器を自立させるため該載置面に接する接地部２２１とこの接地部２２１よりも内側であって中央部が内側（容器の収納部側）に凹んだ凹部２２２とが形成されている。この接地部２２１は、下端面が平坦な底面視リング状に形成されており、この接地部２２１に囲われるように、ドーム（底上げ）状の凹部２２２が形成されている。
【００１８】
かかる光透過性の容器２の胴部２１略全面に、遮光性を有する熱収縮性筒状ラベル３が熱収縮により装着されており、更に、容器２の接地部２２１に、内側（容器２の中心軸側）に向かうに従い大きく熱収縮されている筒状ラベル３の接地部装着部３６が装着されていると共に、筒状ラベル３の下方開口部が、容器２の底面２２において閉塞されている。
より具体的には、筒状ラベル２の下方側は、次第に大きく熱収縮しながらコーナー部２７に沿って略直角に湾曲し、このコーナー装着部から水平に延びる接地部装着部３６を備えている。この接地部装着部３６は、接地部２２１の内側（容器２の中心軸側）に向かうに従い大きく熱収縮されている。さらに、この接地部装着部３６から延びるラベル片は、同様に熱収縮しつつ容器２の凹部２２２側へと入り込むと共に、筒状ラベル３の下方開口部を閉塞するように下端部３１が重ね合わされている。この下端部３１の合わせ部分は、塑性変形によってラベル表面３ａに添着させて略扁平状に成形され、これが下方開口部を閉塞する閉塞部３２となっている。従って、この閉塞部３２は、容器２の凹部２２２で区画される空間２８内に位置して納められている。
【００１９】
閉塞部３２は、例えば、図２（ａ）−１，２に示すように、（恰も袋の底貼りの如く）下端部３１の一方片３１ａを内側に折り込み且つその上に他方片３１ｂを折り畳んだ形状、同図（ｂ）−１，２に示すように、筒状の下端部３１の内面を重ね合わせて板状にし、その板状重合部分３１ｃをラベル表面３ａへと折り畳んだ形状、同図（ｃ）−１，２に示すように（恰もキャンディの捻り包装の如く）下端部３１の合わせながら捻って撚糸状にし、この捻り重合部分３１ｄをラベル表面３ａへと折り畳んだ形状、などのように筒状ラベル３の下端部３１を規則的に合わせてラベル表面３ａに添着させ、且つ塑性変形によって略扁平状に熱セットした構成や、同図（ｄ）−１，２に示すように、下端部３１を任意重なり合わせてラベル表面３ａに添着させた形状、などのよう筒状ラベル３の下端部３１を無秩序に合わせてラベル表面３ａに添着させ、且つ塑性変形によって略扁平状に熱セットした構成などが例示される。
【００２０】
容器２に装着する前（熱収縮前）の筒状ラベル３は、図３及び図４に示すように、容器２の胴部２１に挿入脱可能な内径で、且つ熱収縮後に少なくとも容器２の胴部２１及び底面２２を被覆可能な長さのラベル基材５の両端部５ａ，５ａを、センターシールし、且つこのセンターシール部４の近傍に易開裂手段としてミシン目６が形成された筒状体からなる。
この筒状ラベル３の上方側は、容器２の胴部２１を被覆可能な胴部被覆領域３３（容器２の胴部２１のみならず、容器２のキャップ２５の一部又は全部までも被覆する場合を含む）で、下方側は容器２の底面２２を被覆可能な底面被覆領域３４である。
【００２１】
具体的に熱収縮前の筒状ラベル３の大きさは、容器の大きさ・形状などによって適宜設計されるものであるが、例えば、胴部被覆領域３３が容器２の胴部２１長さと略同長で、且つ底面被覆領域３４が容器２の底面２２の半径長さよりも長く形成されているものが例示される。もっとも、この底面被覆領域３４が短いと、後述するように熱収縮後に筒状ラベル３の下方開口部３５を閉塞することが困難となり、一方、余りに長いと閉塞部３２が嵩張るので、例えば、図６に示すように、熱収縮により、底面２２下方に生じる筒状ラベル３の下端部３１の突出長さＬが、下方開口部３５の直径Ｄに対して１〜３倍程度の長さとなるように、底面被覆領域３４の長さを設計することが好ましい。また、容器２のキャップ２５の一部又は全部まで被覆された遮光容器１を構成する場合には、筒状ラベル３の胴部被覆領域３３は、容器２のキャップ２５の一部又は全部を被覆可能な長さにする。
尚、筒状ラベル３を構成する熱収縮性フィルムとして、長手方向にも熱収縮するフィルムを用いる場合には、熱収縮後の筒状ラベル３の長さが短くなるため、装着前の筒状ラベル３は、その収縮を考慮して収縮率相当分だけ長く形成しておけばよい。
【００２２】
次に、筒状ラベル３を構成するラベル基材５は、少なくとも紫外線を略遮断可能な遮光性と、少なくとも幅方向（筒状ラベルとした場合には周方向）に熱収縮性を有するフィルムからなる。
具体的には、例えば、乳白色を呈する白色系フィルム７の裏面７ａに、カーボンブラックなどの黒色顔料が配合された黒色インキからなる黒色系印刷層８がグラビア印刷法などによって設けられていると共に、白色系フィルム７の表面７ｂのうち、胴部被覆領域３３相当面に商品名などを表示するための意匠印刷層９が設けられ且つ底面被覆領域３４相当面に同様の黒色系印刷層８が設けられたラベル基材５を用いることができる。従って、白色系フィルム７の底面被覆領域３４の表裏面７ａ，７ｂには、黒色系印刷層８が設けられている。尚、この意匠印刷層９及び黒色系印刷層８の表面には、図示したように、ニスなどのオーバー印刷層１０が設けられている。
さらに、ラベル基材５の厚みは、２０〜９０μｍ程度、好ましくは３０〜７０μｍ程度に形成される。
【００２３】
白色系フィルム７は、例えば、ポリエチレンテレフタレートなどのポリエステル系樹脂、ポリプロピレンなどのオレフィン系樹脂、スチレン−ブタジエン共重合体などのスチレン系樹脂、環状オレフィン系樹脂、塩化ビニル系樹脂、２種以上の混合物などの樹脂成分と、紫外線遮断剤として二酸化チタン、硫酸バリウム、炭酸カルシウム、アルミナホワイトなどの白色顔料と、各種添加剤とを、公知の製膜法により製膜し、延伸することにより得ることができる乳白色のフィルムなどを用いることができる。延伸処理は、テンター方式、チューブ方式の何れでもよい。延伸処理は、通常、７０〜１１０℃程度の温度で、幅方向（ＴＤ方向）に２．０〜８．０倍、好ましくは３．０〜７．０倍程度延伸することにより行われる。さらに、必要に応じて、長手方向（ＭＤ方向）にも、例えば１．５倍以下の低倍率で延伸処理を行ってもよい。得られたフィルム７は、一軸延伸フィルム又は主延伸方向と直交する方向に若干延伸された二軸延伸フィルムとなる。
【００２４】
フィルム７の熱的性質は、ラベル３が少なくとも熱収縮により容器２の胴部２１に装着可能な程度、更に、ラベル３の接地部装着部３６に皺を生させず、容器２の接地部２２１の形状に沿って密着装着可能な程度まで少なくとも熱収縮するものが好ましい。
具体的には、少なくとも幅方向（筒状ラベルとした場合に周方向）に於ける熱収縮率（８０℃の温水中に１０秒間浸漬）が約３０％以上、好ましくは約４０％、より好ましくは約５０％以上のフィルムを用いることが好ましい。尚、熱収縮率の上限は、熱収縮後の筒状ラベル３の下方開口部３５の内径をより小さくできることから、出来るだけ大きいもの（フィルムの種類によって異なるが概ね７０〜８０％程度）が好ましい。
熱収縮率（％）＝［｛（幅方向の元の長さ）−（幅方向の浸漬後の長さ）｝／（幅方向の元の長さ）］×１００。
尚、長手方向についても若干熱収縮する熱収縮性フィルムが好ましい。
【００２５】
また、ラベル基材５の遮光性の目安は、例えば波長２００〜４００ｎｍの紫外線の最大透過率が３０％以下、好ましくは２０％以下、より好ましくは１５％以下程度のものが用いられる。
【００２６】
上記構成からなる遮光容器１は、底面２２まで遮光性のラベル３で被覆されているので、紫外線などの光透過を防止することができる。さらに、上記ラベル３は、白色系フィルム７の裏面７ａに黒色系印刷層８が設けられた基材５からなるので、意匠印刷層８の下地となる白色背景の利点を有しつつ、可視光線の透過も防止できる。可視光線の遮光性の目安は、例えば、内容物がビールやビタミン剤などの場合、波長４００〜６００ｎｍの最大透過率が２０％以下、好ましくは１０％以下である。
また、光遮断手段が、１つの筒状ラベル３によって容器２を被覆するものであるため、リサイクル時には、既知の胴部ラベル付き容器と同様に、消費者は、ミシン目６などを利用して、ラベル３を切り取りこれを簡単に除去することができる。尚、ミシン目６は微小な孔であるため、光透過の影響は殆ど無視できるほどに小さいが、より確実に遮光するには、上記のような貫通孔型のミシン目６に代えて、非貫通のミシン目やハーフカットの切取り線などのような非貫通型の易開裂手段を用いることが好ましい。
さらに、筒状ラベル３は、容器２の接地部２２１の形状に沿って装着されているので、容器２を何ら支障なく自立させることができ、外観上も美麗な容器となる。特に、筒状ラベル３の閉塞部３２が、容器２の凹部２２２内に位置されているので、底面２１からラベルの一部が突出することがないから自立安定性に優れ、さらに、搬送時、閉塞部３２にゴミが付着したり、閉塞部３２が不用意に障害物に引掛かることなどを防止できる。
【００２７】
また、筒状ラベル３の下端部３１が合わされ且つ塑性変形によって略扁平状に成形されているので、閉塞部３２が嵩張らず、又、搬送時などの振動などによって、閉塞された筈の下方開口部３５が再開口することなどを防止できる。
また、熱収縮によって装着する際、後述するように、筒状ラベル３の底面被覆領域３４は大きく収縮することが好ましいところ、上記筒状ラベル３は、底面被覆領域３４の表面７ｂにも黒色印刷層８が設けられているので、赤外線加熱した場合などの熱を吸収し易いという利点を有する。
【００２８】
次に、上記筒状ラベル３を容器２に装着する方法及び遮光容器１の製造方法について説明する。
まず、ラベル基材５が連続的に繋がったラベル基材連続体を引出しながら、両端部５ａをセンターシールし、これを巻き取ることにより、筒状ラベルが連続的に繋がった筒状ラベル連続体を得る。
この筒状ラベル連続体を、ラベラーなどのシュリンク装着機にセットし、所定長さに切断して１つの筒状ラベル３とし、コンベアなどの搬送装置から送られてくる透明容器２に挿入する。
【００２９】
具体的には、図５に示すように、筒状ラベル３の上縁を容器２の鍔部２６と略同レベルの位置に、且つ筒状ラベル３の底面被覆領域３４を、容器２の底面２２から下方側に突出させた状態となるように、筒状ラベル３を容器２に挿入する。次いで、これを温風などを備えるシュリンクゾーンに導いて、この筒状ラベル３を熱収縮させる。
かかる熱収縮により、図６に示すように、筒状ラベル３は、容器２の胴部２１に装着され、コーナー部２７を介して、内側に次第に大きく熱収縮する接地部装着部３６が形成される。更に、この接地部装着部３６が接地部２２１に密着装着され、底面２２中央部に、非装着部分として、下方開口部３５を含む筒状の下端部３１が下方に突出した状態となる。
【００３０】
熱収縮温度は、フィルムの種類に応じて適宜設計されるものであって通常６０〜２００℃程度であるが、美麗な底面を形成できることなどから、底面被覆領域３４が容器２の接地部２２１の形状に沿って密着する程度に筒状ラベル３を熱収縮させることが好ましく、更に、熱収縮後に生じる下方開口部３５の開口面積をより小さくすることができるという点から、フィルムの収縮限界又はこの近くまで熱収縮させることがより好ましい。
【００３１】
次に、熱収縮時の余熱によって筒状ラベル３の下端部３１が軟化しているうちに、図７に示すように、凹部２２２によって区画される空間２８内に進入可能な治具１１を用い、下端部３１を底面２２の凹部２２２側へと押圧し、前記空間２８内で略扁平状に押し潰すことにより、下端部３１を介して下方開口部３５を閉塞する。この際、下端部３１を凹部２２２（底面２２）の表面に押し当てるようにして押圧することが好ましい。
その後、下端部３１は、塑性変形により、ラベル表面３ａに添着した略扁平状の塊となって、図１に示すような、閉塞部３２が空間２８内に納められ、この状態を維持できる遮光容器１が得られる。
押圧方法は、例えば、上面が平坦な治具１１を用い、下方から底面２２側に筒状ラベル３の下端部３１を押圧すると、これが無秩序に押し潰され、図２（ｄ）に示すような閉塞部３２を形成することができる。また、上面に下端部３１に係合する係合部（例えばヤスリ面のような凹凸面）を有する治具１１を用い、長手軸周りに回転させながら下端部３１を押圧すると、これが撚り糸状に押し潰され、図２（ｃ）に示すような閉塞部３２を形成することができる。また、複数の治具１１を用い、下端部３１を折り畳たむように順次押圧すると、図２（ａ）に示すような閉塞部３２を形成することができる。
【００３２】
上記製造方法によれば、筒状ラベル３を収縮させ、且つ収縮後に生じる非装着部分であるラベル３の下端部３１を、容器２の底面２２側へと押圧するという簡易な工程を経て、胴部２１及び底面２２が遮光性ラベル３で被覆された遮光容器１を製造することができる。
特に、底面２２の凹部２２２側へと押圧することにより、凹部２２２の空間２８内に閉塞部３２が納められた遮光容器１を簡易に製造することができる。
さらに、熱収縮時の余熱により、下端部３１が軟化している間に押圧することにより、別途加熱工程を設けずに、下端部３１を塑性変形させて下方開口部３５を閉塞することができる。もっとも、下端部３１を確実に軟化させるために、下端部３１を集中的に加熱するヒーターなどの加熱装置を用いて押圧してもよい。
【００３３】
尚、本発明は上記各実施形態に限定されるものではなく、本発明の意図する範囲で、適宜の構成を付加、代用、設計変更などすることができる。以下、上記各実施形態の変形例について、主として異なる部分を説明し、同様の構成については、用語及び図番を援用し、その説明を省略することがある。
【００３４】
（ラベル基材の他の実施形態）
上記実施形態に於いて、ラベル基材５は、白色系フィルム７に黒色系印刷層８が設けられているので、上記の効果を奏するが、黒色系印刷層８が設けられていない白色系フィルム７を用いてラベル基材５を構成してもよい。また、ラベル基材５を構成するフィルムは、白色系フィルム７に限られず、例えば、特開２０００２−６８２０２号の第４頁［００２７］−［００３０］に例示されているような、赤色、濃青などを呈する各種の着色剤や紫外線吸収剤などの紫外線遮断剤が適宜配合されて製膜された遮光性フィルムを用いてラベル基材５を構成してもよい。また、必要に応じて、かかる遮光性フィルムに、上記実施形態の如く、裏面及び／又は底面被覆領域３４相当表面に適宜黒色系印刷層８を設けてラベル基材５を構成してもよい。
さらに、透明なフィルムの裏面及び／又は表面に、白色、黒色、濃青などを呈する着色剤や紫外線吸収剤などの紫外線や可視光線の遮断剤が配合された遮光印刷層が設けられた遮光性フィルムを用いてもよく、また、透明なフィルムと紫外線等遮断剤の配合されたフィルムとが積層された積層フィルムなどを用いてもよい。尚、紫外線のみを遮断する場合には、紫外線吸収剤などを含有した実質的に無色の透明フィルムでラベル基材５を構成してもよい。
また、上記実施形態では、フィルム７の表面７ｂに意匠印刷層９が設けられているが、意匠印刷層９を裏面７ａに設けるなどしてもよい。
【００３５】
（閉塞部の他の実施形態）
上記実施形態に於いて、閉塞部３２は、凹部２２２の空間２８内に位置して設けられているので接地部２２１下方に突出せずに好ましいものであるが、例えば、図８（ａ）に示すように、該空間２８外であって、凹部対応位置に閉塞部３２を設けてもよい。閉塞部３２が凹部対応位置に設けられていると、遮光容器１を自立させた際、ラベル３の撓みよって閉塞部３２が凹部２２へと納まるので（二点鎖線で示す）、自立安定性を確保できる。
【００３６】
（容器の他の実施形態）
上記実施形態に於いて、容器２は、その接地部２２１が、周方向に連続的に繋がる平坦状のものが例示されているが、例えば、図８（ｂ）に示すように、周方向に複数の凸部が突設され、この凸部下端面が接地部２２１とされた容器２に適用してもよい。尚、かかる容器２は、隣り合う凸状の接地部２２１の間にも内側に凹んだ凹部２２２が形成されている。
【００３７】
（遮光容器の製造方法の他の実施形態）
上記実施形態に於いては、熱収縮後の余熱によって筒状ラベル３の少なくとも下端部３１が軟化している間にこれを押圧して下方開口部３５を閉塞するので好ましいが、例えば、再加熱した上で、押圧してもよい。また、これらの手段は、押圧するだけで下方開口部３５を閉塞できるので好ましいが、例えば、溶剤や接着剤を用いて、筒状ラベル３の下方開口部３５を閉塞することも可能である。
【００３８】
【発明の効果】
以上のように、本発明に係る遮光容器は、紫外線などの透過をより確実に防止でき、リサイクル時には、筒状ラベルを除去するだけで、光透過性容器を分離できる。また、遮光容器を支障なく自立させることができ、又、外観上も美麗である。
さらに、下方開口部を閉塞する閉塞部が、凹部で区画される空間内に位置する遮光容器は、自立安定性に優れ、又、搬送時に、ゴミなどが付着し難いので商品価値を低下させず、更に閉塞部が不用意に障害物に引掛かることを防止できる。
また、閉塞部が、筒状ラベルの下端部が合わされ且つ塑性変形によって略扁平状に成形されている遮光容器は、閉塞部が嵩張らず、又、搬送時などの振動などによって、下方開口部の再開口を防止できる。
【００３９】
さらに、本発明に係る遮光容器の製造方法は、容器の胴部及び底面を遮光性ラベルで被覆した遮光容器を簡易に製造することができる。
【図面の簡単な説明】
【図１】本発明の遮光容器の一実施形態を示す正面図であって、長手方向中心軸で右半分を断面として現した縦断面を含む正面図。
【図２】（ａ）〜（ｄ）は、何れも遮光容器の閉塞部の各実施形態を示し、（ａ）−１〜（ｄ）−１は、一部省略縦断面図、（ａ）−２〜（ｄ）−２は、閉塞部を容器の底面側から見た状態を示す平面参考図。
【図３】熱収縮前の筒状ラベルの一実施形態を示す斜視図。
【図４】図３のＡ−Ａ線断面図。
【図５】遮光容器の製造方法に於ける挿入工程を示す縦断面図。
【図６】同熱収縮工程を示す縦断面図。
【図７】同閉塞工程を示す縦断面図。
【図８】（ａ），（ｂ）ともに、遮光容器の他の実施形態を示す一部省略縦断面図。
【符号の説明】
１…遮光容器、２…光透過性容器、２１…容器の胴部、２２…容器の底面、２２１…底面の接地部、２２２…底面の凹部、３…熱収縮性筒状ラベル、３ａ…ラベル表面、３１…筒状ラベルの下端部、３２…閉塞部、３３…筒状ラベルの胴部被覆領域、３４…筒状ラベルの底面被覆領域、３５…下方開口部、３６…接地部装着部、５…ラベル基材、６…ミシン目、７…フィルム、８…黒色系印刷層、９…意匠印刷層、１１…治具
【図１】
2004352325.tif 000003
【図２】
2004352325.tif 000004
【図３】
2004352325.tif 000005
【図４】
2004352325.tif 000006
【図５】
2004352325.tif 000007
【図６】
2004352325.tif 000008
【図７】
2004352325.tif 000009
【図８】
2004352325.tif 000010